(57)【要約】【課題】腰を屈めることなく、ドアを僅かに開いた状態から全開状態までの任意の位置に簡単にロック及びロック解除できるドアストッパを提供することにある。【解決手段】床２に近接して設けられた出入口４の一側縁にドアヒンジ６によって開閉自在に枢支されるドア５に取付けられ、ドアを僅かに開いた状態から全開状態までの任意の位置で停止させるドアストッパ７であって、ドアを開いた時に出入口側に向かうドア面で、しかもドアの自由端側における下端部に取付けられるドアストッパ本体９と、ドアストッパ本体に設けられ床に接触しないドアフリー位置とドアの下端面と床との間に差し込まれ床に対してドアをロックするドアロック位置との間を移動自在なロック部材１３と、ドアストッパ本体とロック部材との間に設けられ該ロック部材をドアフリー位置に付勢する弾性伸縮部１４とからなる。【選択図】    図２
2004278233.tif 000002
【特許請求の範囲】
【請求項１】
床に近接して設けられた出入口の一側縁にドアヒンジによって開閉自在に枢支されるドアに取付けられ、前記ドアを僅かに開いた状態から全開状態までの任意の位置で停止させるドアストッパであって、
前記ドアを開いた時に前記出入口側に向かうドア面で、しかもドアの自由端側における下端部に取付けられるドアストッパ本体と、
前記ドアストッパ本体に設けられ前記床に接触しないドアフリー位置と前記ドアの下端面と床との間に差し込まれ床に対してドアをロックするドアロック位置との間を移動自在なロック部材と、
前記ドアストッパ本体とロック部材との間に設けられ該ロック部材をドアフリー位置に付勢する付勢手段と、
を具備したことを特徴とするドアストッパ。
【請求項２】
前記ロック部材は、前記ドアの下端面と床との間に差し込まれる部分が楔形状であり、ドアが閉じる方向に付勢された付勢力によってドアをロック状態に保持し、ドアを付勢力に抗して開放する方向に回動することにより、前記付勢手段によってロック解除されることを特徴とする請求項１記載のドアストッパ。
【請求項３】
前記付勢手段は、弾性伸縮部材であることを特徴とする請求項１または２記載のドアストッパ。
【発明の詳細な説明】
【０００１】
【発明の属する技術分野】
この発明は、例えば、会議室の出入口に設けられたドアを半開き、または全開状態でロックすることができるドアストッパに関する。
【０００２】
【従来の技術】
例えば、会議室の出入口に設けられたドアは、出入口の一側縁にドアがドアヒンジによって開閉自在に枢支されている。このドアは、ドアヒンジ側に設けられたドアチェックによってドアを閉じる方向に付勢され、ドアから手を放すことにより、ドアは自動的に閉じるようになっている。
【０００３】
ところで、出入口を頻繁に通行する場合や、会議室の清掃あるいは会議室の換気のためにドアを僅かに開いた状態から全開状態までの任意の位置で停止させる必要が生じる場合がある。
【０００４】
このような場合、従来は、合成樹脂あるいは木材からなるドアストッパを用いている。このドアストッパは、楔状ブロックで、ドアを開いた時に出入口側に向かうドア面で、しかもドアの自由端側における下端部と床との間に差込み、ドアがドアチェックの付勢力によって閉じる方向に回動するのを停止させ、ドアを僅かに開いた状態から全開状態までの任意の位置でロックするようになっている。
【０００５】
【発明が解決しようとする課題】
しかしながら、従来のドアストッパによってドアを半開き、または全開状態でロックするためには、床に置いてあるドアストッパを手で拾い上げ、ドアの下端部と床との間に差し込まないとロックできない。この操作を行うには一々腰を屈める必要があり、特に高齢者になると、その操作に大きな負担がかかっている。
【０００６】
また、従来のドアストッパは、ドアとは別体であるとともに、ドアの開閉動作の邪魔になるため、ドアから離れた床に置かれている場合が多く、ドアストッパを探して拾い上げているのが実情であり、操作が煩わしていという事情がある。
【０００７】
この発明は、前記事情に着目してなされたもので、その目的とするところは、ドアストッパを床から拾い上げたり、腰を屈めることなく、ドアを僅かに開いた状態から全開状態までの任意の位置に簡単にロックできるドアストッパを提供することにある。
【０００８】
【課題を解決するための手段】
この発明は、前述した目的を達成するために、請求項１は、床に近接して設けられた出入口の一側縁にドアヒンジによって開閉自在に枢支されるドアに取付けられ、前記ドアを僅かに開いた状態から全開状態までの任意の位置で停止させるドアストッパであって、前記ドアを開いた時に前記出入口側に向かうドア面で、しかもドアの自由端側における下端部に取付けられるドアストッパ本体と、前記ドアストッパ本体に設けられ前記床に接触しないドアフリー位置と前記ドアの下端面と床との間に差し込まれ床に対してドアをロックするドアロック位置との間を移動自在なロック部材と、前記ドアストッパ本体とロック部材との間に設けられ該ロック部材をドアフリー位置に付勢する付勢手段とを具備したことを特徴とする。
【０００９】
請求項２は、請求項１の前記ロック部材は、前記ドアの下端面と床との間に差し込まれる部分が楔形状であり、ドアが閉じる方向に付勢された付勢力によってドアをロック状態に保持し、ドアを付勢力に抗して開放する方向に回動することにより、前記付勢手段によってロック解除されることを特徴とする。
【００１０】
請求項３は、請求項１または２の前記付勢手段は、弾性伸縮部材であることを特徴とする。
【００１１】
前記構成によれば、ドアを僅かに開いた状態から全開状態までの任意の位置でロックする際には、ドアをその位置に手で押えた状態で、ロック部材を足（靴）によってドアの下端面と床との間に押圧すると、ロック部材が床とドアの下端面との間に差し込まれる。
【００１２】
そして、ドアから手を放すと、ドアはドアチェックによって出入口を閉じる方向に付勢されているため、ドアがロック部材にさらに深く重なるように作用し、ドアロック状態となってドアをを僅かに開いた状態から全開状態までの任意の位置に保持することができる。
【００１３】
また、ドアのロック状態を解除する際には、ドアを僅かに開く方向に回動させると、ロック部材とドアの下端部との間に隙間ができる。従って、ロック部材の拘束力が解除され、ロック部材が付勢手段によって引き上げられる。従って、ドアフリー位置になり、ドアは自動的に閉じる方向に回動して出入口を閉じる。従って、ドアをロックする際、ロックを解除する際にも、腰を屈めることなく、簡単な操作によってロック及びロック解除できる。
【００１４】
ドアが全開状態で、ドアが壁等に当ってそれ以上ドアを開く方向に回動することが不能な場合、ドアを閉じる方向に僅かに回動させた後、開く方向に戻すと、ロック部材とドアの下端部との間に隙間ができる。従って、前述と同様にドアが全開状態でも簡単な操作によってロック解除できる。
【００１５】
【発明の実施の形態】
以下、この発明の実施の形態を図面に基づいて説明する。
【００１６】
図１〜図４は第１の実施形態を示し、図１は、会議室１であり、２は会議室１の床２を示し、３は廊下である。会議室１の出入口４にはドア５が設けられている。このドア５は、開放時には会議室１側に進入するように、出入口４の一側縁にドアヒンジ６によって開閉自在に枢支されている。また、ドア５はドアヒンジ６側に設けられたドアチェック（図示しない）によって出入口４を閉じる方向に付勢されている。
【００１７】
ドア５を開いた時に出入口４側に向かうドア面５ａで、しかもドア５の自由端側における下端部にはドアストッパ７が取付けられ、ドア５を半開きあるいは全開状態でロックできるようになっている。
【００１８】
次に、ドアストッパ７について説明すると、図２〜図４に示すように、取付け部材８は、例えばアルミニウム等の帯状板からなるＬ字状部材であり、ドア面５ａに接合される垂直面８ａとドア５の下端面に接合する水平面８ｂを有している。垂直面８ａの裏面は両面粘着テープ、接着剤あるいはビス等によってドア面５ａに取付けられる。
【００１９】
取付け部材８の垂直面８ａの前面にはドアストッパ本体９が一体的に設けられている。このドアストッパ本体９は、ゴムあるいは合成樹脂材料からなり、射出成形あるいは押出し成形によって一体に形成されている。
【００２０】
ドアストッパ本体９は、取付け部材８の垂直面８ａの前面に一体に固着される基部１０を有し、この基部１０の下端部には前方へ突出する略山形形状の突起からなるガイド部１１が設けられ、このガイド部１１には取付け部材８の水平面８ｂに向かって下り勾配の傾斜面１１ａが形成されている。
【００２１】
ガイド部１１より上部には基部１０から一体に水平に前方へ突出する支持片１２が設けられ、この支持片１２の先端部には楔形状のロック部材１３が一体に設けられている。このロック部材１３は、先端部に差込み部１３ａを有するとともに、上面にガイド部１１の傾斜面１１ａにガイドされる傾斜面１３ｂを有しており、下面には曲率半径が大きい円弧面１３ｃに形成されている。さらに、前面には凹凸部１３ｄがロック部材１３の幅方向に設けられている。
【００２２】
さらに、ロック部材１３の上部と基部１０の下端部との間は付勢手段としての弾性伸縮部１４によって一体に連結されている。この弾性伸縮部１４は蛇腹状で、外表面形状はロック部材１３の凹凸部１３ｄと類似形状で、外観的に一体感を呈している。この弾性伸縮部１４は、外力が加わっていないときにはそれ自体の収縮力によってロック部材１３を引き上げ、差込み部１３ａが取付け部材８の水平部８ｂより上位に位置するようになっている。
【００２３】
前述のように構成されたドアストッパ７によれば、ドア５をドアヒンジ６を支点として開放してドア５を会議室１の内部に進入させると、出入口４は開放する。このとき、ドアストッパ７のロック部材１３は弾性伸縮部１４によって引き上げられているため、差込み部１３ａが取付け部材８の水平部８ｂより上位に位置してドアフリー位置にあり、ドア５の開閉動作を妨げることはない。
【００２４】
ここで、ドア５を僅かに開いた状態から全開状態までの任意の位置でロックする際には、ドア５をその位置に手で押えた状態で、ロック部材１３の凹凸部１３ｄを足（靴）によって矢印Ａ方向に押圧すると、弾性伸縮部１４が伸長し、差込み部１３ａがガイド部１１の傾斜面１１ａにガイドされながら床２とドア５の下端面との間、実際には床２と取付け部材８の水平部８ｂとの間に差し込まれる。
【００２５】
そして、ドア５から手を放すと、ドア５はドアチェックによって出入口４を閉じる方向に付勢されているため、ドア５が楔状のロック部材１３の差込み部１３ａにさらに深く重なるように作用し、ドアロック状態となってドア５を半開きあるいは全開状態に保持することができる。
【００２６】
従って、腰を屈めてドアストッパ７を拾い上げたり、床２とドア５との間に差し込む必要がなく、立ったままロック部材１３の凹凸部１３ｄを足（靴）によって矢印Ａ方向に軽く押し込むという簡単な操作によってドア５をロックすることができる。また、ドアストッパ７はドア５と常に一体的であるため、ドアストッパ７を紛失することも、探す必要もない。
【００２７】
また、ドア５のロック状態を解除する際には、ドア５を僅かに開く方向に回動させると、ロック部材１３の差込み部１３ｄは楔状であるため、差込み部１３ｄとドア５の下端部との間に隙間ができる。従って、差込み部１３ｄの拘束力が解除され、ロック部材１３が弾性伸縮部１４の弾性復元力によって引き上げられる。従って、差込み部１３ａが取付け部材８の水平部８ｂより上位に位置してドアフリー位置になり、ドア５は自動的に閉じる方向に回動して出入口４を閉じる。従って、ドア５のロック状態を解除する際にも、腰を屈めることなく、ドア５を僅かに開放するという簡単な操作によってロック解除できる。
【００２８】
なお、ドア５が全開状態で、ドア５が壁等に当ってそれ以上ドア５を開く方向に回動することが不能な場合、ドア５を閉じる方向に僅かに回動させた後、開く方向に戻すと、ロック部材１３の差込み部１３ｄは楔状であるため、差込み部１３ｄとドア５の下端部との間に隙間ができる。従って、前述と同様にドア５が全開状態でも簡単な操作によってロック解除できる。
【００２９】
なお、前記実施形態においては、弾性伸縮部１４を蛇腹形状としたが、その形状は限定されるものではなく、ロック部材１３の差込み部１３ｄの拘束力が解除されたとき、ロック部材１３を弾性復元力によって引き上げることができる付勢手段であればよい。
【００３０】
また、ドア５に対する取付け部材８を設けたが、取付け部材８は必ずしも設ける必要はなく、ドアストッパ本体９をドア５に直接取付けてもよい。
【００３１】
図５〜図７は第２の実施形態を示し、第１の実施形態と同一構成部分は同一番号を付して説明を省略する。
【００３２】
ドアストッパ本体１５は、例えば、合成樹脂材料によって一体に成形され、取付け部材８の垂直面８ａの前面に一体に固着される平坦面からなる基部１６と、この基部１６と一体に前面側に円弧状に突出する中空のガイド部１７とから構成されている。
【００３３】
ガイド部１７の内側壁には該ガイド部１７の凸円弧面１７ａに沿って円弧状のガイド溝１８が互いに対向して設けられている。また、ガイド部１７の円弧面１７ａの下半分にはスリット１９が設けられている。
【００３４】
また、ドアストッパ本体１５には、例えば合成樹脂材料によって一体に成形されたロック部材２０が上下方向に回動自在に設けられている。ロック部材２０は、ガイド部１７の円弧面１７ａに接合する開口した凹円弧部２１と、ドアストッパ本体１５の両側壁と同一幅の両側部２２、凹円弧部２１と対応し、前面側に突出する凸円弧部２３及び滑り止め部２４ａを有する平坦面からなる上面部２４とから構成されている。
【００３５】
従って、ロック部材２０は側面視で、円弧状をなした楔形状であり、凸円弧部２３の先端部にはこの凸円弧部２３と連続して一体に差込み部２５が設けられている。さらに、ロック部材２０の凹円弧部２１にはドアストッパ本体１５のガイド溝１８に係合する円弧状の係合爪２６が突出して設けられ、ドアストッパ本体１５に対してロック部材２０が上下方向に回動自在に結合されている。すなわち、係合爪２６はガイド溝１８に沿って摺動自在であり、ガイド溝１８と係合爪２６によってロック部材２０の回動範囲が規制されている。
【００３６】
また、ドアストッパ本体１５の基部１６とロック部材２０の凸円弧部２３との間にはスリット１９を貫通して付勢手段としてのコイルスプリング２７が張設されている。そして、このコイルスプリング２７の弾性復元力によってロック部材２０を引き上げ、差込み部２５が取付け部材８の水平部８ｂより上位に位置するようになっている。
【００３７】
前述のように構成されたドアストッパによれば、ドア５をドアヒンジ６を支点として開放してドア５を会議室１の内部に進入させると、出入口４は開放する。このとき、ドアストッパ本体１５に対してロック部材２０はコイルスプリング２７によって引き上げられているため、差込み部２５が取付け部材８の水平部８ｂより上位に位置してドアフリー位置にあり、ドア５の開閉動作を妨げることはない。
【００３８】
ここで、ドア５を僅かに開いた状態から全開状態までの任意の位置でロックする際には、ドア５をその位置に手で押えた状態で、ロック部材２０の上面部２４を足（靴）によって矢印Ａ方向に押圧すると、ロック部材２０の凹円弧部２１はガイド部１７の円弧面１７ａにガイドされるとともに、係合爪２６はガイド溝１８に沿って摺動する。
【００３９】
従って、ロック部材２０はコイルスプリング２７の復元力に抗して下方へ回動しながら移動し、差込み部２５が床２とドア５の下端面との間、実際には床２と取付け部材８の水平部８ｂとの間に差し込まれる。
【００４０】
そして、ドア５から手を放すと、ドア５はドアチェックによって出入口４を閉じる方向に付勢されているため、ドア５が楔状のロック部材２０の差込み部２５にさらに深く重なるように作用し、ドアロック状態となってドア５を僅かに開いた状態から全開状態までの任意の位置に保持することができる。
【００４１】
従って、腰を屈めてドアストッパ７を拾い上げたり、床２とドア５との間に差し込む必要がなく、立ったままロック部材２０の上面部２５を足（靴）によって軽く押し込むという簡単な操作によってドア５をロックすることができる。また、ドアストッパ７はドア５と常に一体的であるため、ドアストッパ７を紛失することも、探す必要もない。
【００４２】
また、ドア５のロック状態を解除する際には、ドア５を僅かに開く方向に回動させると、ロック部材２０の差込み部２５は楔状であるため、差込み部２５とドア５の下端部との間に隙間ができる。従って、差込み部２５の拘束力が解除され、ロック部材２０がコイルスプリング２７の弾性復元力によって引き上げられる。従って、差込み部２５が取付け部材８の水平部８ｂより上位に位置してドアフリー位置になり、ドア５は自動的に閉じる方向に回動して出入口４を閉じる。従って、ドア５のロック状態を解除する際にも、腰を屈めることなく、ドア５を僅かに開放するという簡単な操作によってロック解除できる。
【００４３】
なお、ドア５が全開状態で、ドア５が壁等に当ってそれ以上ドア５を開く方向に回動することが不能な場合、ドア５を閉じる方向に僅かに回動させた後、開く方向に戻すと、ロック部材２０の差込み部２５は楔状であるため、差込み部２５とドア５の下端部との間に隙間ができる。従って、前述と同様にドア５が全開状態でも簡単な操作によってロック解除できる。
【００４４】
前述のように構成されたドアストッパは、会議室や応接室のドア、ホテル等の部屋の出入口のドア等に設けることができ、床がタイル張り、板材張りあるいは床にカーペットが敷設されていても、ロック部材が楔形状であるため、ドアを僅かに開いた状態から全開状態までの任意の位置に確実にロックすることができる。
【００４５】
なお、ドアのドアヒンジ側にドアチェックを設け、出入口を閉じる方向に付勢されているドアについて説明したが、ドアチェックがないドアについても同様の作用効果がある。
【００４６】
【発明の効果】
以上説明したように、この発明によれば、腰を屈めることなく、ドアを僅かに開いた状態から全開状態までの任意の位置に簡単にロックでき、またロックを解除する場合においても、ドアを僅かに回動するだけでロックを解除することができる。
【００４７】
しかも、ドアストッパは、ドアに取付けられているため、ドアの開閉の邪魔になることはなく、床に置かれたドアストッパを拾い上げてロックしたり、腰を屈めてロック解除する必要がなく、高齢者にとってもその操作に負担がかからないという効果がある。
【図面の簡単な説明】
【図１】この発明の第１の実施形態を示すドアにドアストッパを取付けた状態の斜視図。
【図２】同実施形態を示し、ドアストッパを拡大した斜視図。
【図３】同実施形態のドアストッパを示し、（ａ）はドアフリー状態の側面図、（ｂ）はドアロック状態の側面図。
【図４】同実施形態のドアストッパを示し、（ａ）は側面図、（ｂ）は正面図。
【図５】この発明の第２の実施形態を示すドアにドアストッパを取付けた状態の斜視図。
【図６】同実施形態のドアストッパを示し、（ａ）はドアフリー状態の側面図、（ｂ）はドアロック状態の側面図。
【図７】同実施形態のドアストッパを示し、（ａ）は平面図、（ｂ）は側面図、（ｃ）はＡ−Ａ線に沿う断面図、（ｄ）はＢ−Ｂ線に沿う断面図。
【符号の説明】
２…床、５…ドア、７…ドアストッパ、９…ドアストッパ本体、１３…ロック部材、１４…弾性伸縮部
【図１】
2004278233.tif 000003
【図２】
2004278233.tif 000004
【図３】
2004278233.tif 000005
【図４】
2004278233.tif 000006
【図５】
2004278233.tif 000007
【図６】
2004278233.tif 000008
【図７】
2004278233.tif 000009